(57)【要約】      （修正有）【課題】シンク周りの状態に応じて適切な取付箇所を選択することができ、どのような状態で取り付けた場合であっても、ゴミ袋とシンク底面が接触することがない、ゴミ袋の保持具を提供する。【解決手段】取付本体部１０の孔部１６に第２接続部３３を着脱自在に嵌め込んだ状態で、吸盤１１により、シンク壁面１０９に吸着させる。使用時、枠体２０には図示していないゴミ袋が取り付けられる。このように保持具１を使用した場合でも、枠体２０を高い位置に維持できる。【選択図】図６
2011001164.tif 000002
【特許請求の範囲】
【請求項１】
厚さ方向の一面に吸盤を有する、略直方体状の取付本体部と、
ゴミ袋を支持するための枠体と、
前記枠体と一体となり、前記枠体を前記取付本体部に対して着脱自体に取り付けるための連結部を有しているゴミ袋の保持具であり、
前記取付本体部が長辺方向の一端面に孔部を有しており、
前記連結部が、一端側が前記枠体と接続された枠体接続部で、他端側が前記孔部に嵌め込まれる、二股に分離された第１接続部と第２接続部であり、
前記取付本体部の吸盤を水平面に対して吸着させるときは、前記第１接続部前記取付本体部の孔部に嵌め込んで使用し、
前記取付本体部の吸盤を鉛直面に対して吸着させるときは、前記第２接続部前記取付本体部の孔部に嵌め込んで使用する、ゴミ袋の保持具。
【請求項２】
前記第１接続部と前記第２接続部が、前記第１接続部を前記孔部に嵌め込んだとき、前記第２接続部の表面が、前記孔部が形成された面に当接され、前記第２接続部を前記孔部に嵌め込んだとき、前記第１接続部の表面が、前記孔部が形成された面に当接されるように形成されている、請求項１記載のゴミ袋の保持具。
【請求項３】
前記第１接続部と前記第２接続部が、その表面において長さ方向に１又は２以上のリブを有するものであり、
前記取付本体部の孔部が、前記第１接続部と前記第２接続部と一致する形状のものである、請求項１又は２記載のゴミ袋の保持具。
【請求項４】
前記連結部が、前記枠体連結部と前記第１接続部がなす角度と、前記枠体接続部と前記第２接続部がなす角度がいずれも鈍角である、請求項１〜３のいずれか１項記載のゴミ袋の保持具。
【請求項５】
前記連結部の内、少なくとも第１接続部と第２接続部が板状のものである、請求項１〜４のいずれか１項記載のゴミ袋の保持具。
【発明の詳細な説明】
【技術分野】
【０００１】
本発明は、台所のシンク等に取り付けて使用するためのゴミ袋の保持具に関する。
【背景技術】
【０００２】
台所用の生ゴミ用の容器としては、従来から、いわゆる三角コーナーと称されているプラスチック製や金属製のものの中にゴミ袋を取り付けたものが汎用されている。しかし、このような三角コーナーは、それ自体が汚れたり、ぬめりを生じたりすることから、見た目や衛生上の観点から、好ましいものではない。
【０００３】
三角コーナーに代わるものとして、特許文献１には、袋支持枠とくびれ部を有する袋を組み合わせたゴミ、物品等の投入容器が開示されており、同様の技術が特許文献２にも開示されている。この投入容器は、袋支持枠を流し台上に固定して使用し、ゴミを投入した袋がシンク内に位置するように取り付け、前記袋のみを取り外して廃棄するものであるため、三角コーナーを用いた場合の外観上や衛生上の問題が解決されている点で優れている。このような投入容器は、本願出願人より、「三角コーナーいらず」の商品名で市販されており、改良発明も出願済みである（特許文献３）。
【先行技術文献】
【特許文献】
【０００４】
【特許文献１】特公平５−２０３２１号公報
【特許文献２】特開平９−２６０２号公報
【特許文献３】特開２００８−１２０５７３号公報
【発明の概要】
【発明が解決しようとする課題】
【０００５】
上記したような従来のゴミ袋の保持具100は、図７（ａ）、（ｂ）に示すようにして使用されている。ゴミ袋の保持具100は、吸盤103を有する取付本体部101と、取付本体部101の一端面101ａから突き出された略楕円形状の枠体102を有している。枠体102の向きは、図７（ａ）、（ｂ）に示すように、取付状態に応じて、面101a側と面101b側のいずれかの向きに変更できるようになっている。
【０００６】
保持具100は、シンク周りの状況に応じて、枠体102に水切り用の孔を有するゴミ袋110を取り付けた状態にて、吸盤103をキッチンシンク105の縁又はそれに続く調理台106に吸着させるか（図７（ａ））、壁面107に吸着させて使用する（図７（ｂ））。このとき、ゴミ袋110とシンク105の底面107は接触していないので、ゴミ袋110内の生ゴミと洗浄水等が接触することなく、生ゴミの水切りもなされる。
【０００７】
しかし最近では、図７（ａ）のような使用形態の場合、調理台106に模様（凹凸）が施されたものが普及してきており、この型のものでは、調理台106に吸盤103を取り付けることが困難であるため、図７（ｃ）に示すように、シンク壁面109に吸盤103を取り付けることになる。市販されているシンク深さは一様ではないが、図７（ｃ）に示す状態に取り付けた場合には、ゴミ袋110とシンク底面107が接触してしまうことがあり、不衛生で、かつ使用者に不快感を与え、さらに水切り性も悪くなるため、改善が要望されている。
【０００８】
本発明は、上記した改善の要望に応えたものであり、シンク周りの状態に応じて適切な取付箇所を選択することができ、どのような状態で取り付けた場合であっても、ゴミ袋とシンク底面が接触することがない、ゴミ袋の保持具を提供することを課題とする。
【課題を解決するための手段】
【０００９】
本発明は、課題の解決手段として、
厚さ方向の一面に吸盤を有する、略直方体状の取付本体部と、
ゴミ袋を支持するための枠体と、
前記枠体と一体となり、前記枠体を前記取付本体部に対して着脱自体に取り付けるための連結部を有しているゴミ袋の保持具であり、
前記取付本体部が長辺方向の一端面に孔部を有しており、
前記連結部が、一端側が前記枠体と接続された枠体接続部で、他端側が前記孔部に嵌め込まれる、二股に分離された第１接続部と第２接続部であり、
前記取付本体部の吸盤を水平面に対して吸着させるときは、前記第１接続部前記取付本体部の孔部に嵌め込んで使用し、
前記取付本体部の吸盤を鉛直面に対して吸着させるときは、前記第２接続部前記取付本体部の孔部に嵌め込んで使用する、ゴミ袋の保持具を提供する。
【００１０】
本発明において「鉛直面」と「水平面」は厳密な意味ではなく、鉛直面はキッチンシンクの壁面のような垂直面（シンク底面に対して垂直面）を意味し、水平面は前記キッチンシンク壁面（垂直面）に対して垂直な面（キッチンシンクに続く調理台）を意味する。
【００１１】
本発明のゴミ袋の保持具は、鉛直面（キッチンシンクの壁面等）及び水平面（調理台等）に取り付けるかに応じて、取付本体部に接続する第１接続部と第２接続部を選択することにより、上記した図７（ｃ）に示すような問題が生じることを防止して、ゴミ袋とシンク底面が常に図７（ａ）、（ｂ）に示すような状態になるようにすることができる。
【発明の効果】
【００１２】
本発明のゴミ袋の保持具を使用することにより、シンク及びシンク周りの状態に拘わらず、ゴミ袋とシンク底面が接触することがなく、図７（ｃ）に示す状態になって消費者に不快感を与えることがない。
【図面の簡単な説明】
【００１３】
【図１】ゴミ袋の保持具を取り付けた状態の平面図。
【図２】ゴミ袋の保持具の枠体と連結部の側面図であり、（ａ）は枠体を折り畳んだ状態の図であり、（ｂ）は枠体を開いた状態の図である。
【図３】（ａ）は連結部端部の第１接続部側の部分斜視図、（ｂ）は連結部端部の第２接続部側の部分斜視図である。
【図４】（ａ）は、取付本体部の一部断面図を含む一側面図（鉛直面に取り付けたときの一側面図）、（ｂ）は、取付本体部の一部断面図を含む一側面図（水平面に取り付けたときの一側面図）、（ｃ）は、取付本体部の孔部が形成された面側からの正面図である。
【図５】（ａ）は、鉛直面に取り付けた状態の本体部と連結部（一部のみ図示）の状態を示す側面図、（ｂ）は、水平面に取り付けた状態の本体部と連結部（一部のみ図示）の状態を示す側面図である。
【図６】（ａ）は、ゴミ袋の保持具をシンク壁面（鉛直面）に取り付けた状態の側面図、（ｂ）は、ゴミ袋の保持具を調理台（水平面）に取り付けた状態の側面図である。
【図７】従来のゴミ袋の保持具100の使用状態を説明するための図であり、（ａ）は調理台（水平面）に取り付けた状態、（ｂ）はシンク周りの壁面（鉛直面）に取り付けた状態、（ｃ）はシンク壁面（鉛直面）に取り付けた状態を示す側面図である。
【発明を実施するための形態】
【００１４】
＜図１＞
図１は、本発明のゴミ袋の保持具１を調理台106上に取り付けた状態（図７（ａ）と同じ取付状態）の平面図である。
【００１５】
保持具１は、吸盤１１を有する取付本体部１０、ゴミ袋を着脱自在に取り付けるための枠体２０、枠体２０を取付本体部１０に着脱自在に取り付けるための連結部３０とを有している。
【００１６】
＜図２及び図３＞
図２（ａ）、（ｂ）は、枠体２０と連結部３０の側面図であり、図３（ａ）は連結部端部の第１接続部側の部分斜視図、（ｂ）は連結部端部の第２接続部側の部分斜視図である。
【００１７】
枠体２０は、製品として販売するときの外袋が小さくできるように、図２（ａ）、（ｂ）に示すように折り畳み式になっており、第１枠部２１と第２枠部２２、それらを折り畳み自在に連結する勘合部２３とを有している。
【００１８】
連結部３０は板状のものであり、一端側が枠体２０（第１枠部２１）と一体になった枠体接続部３１であり、他端部側は、二股に分離された第１接続部３２と第２接続部３３である。
【００１９】
第１接続部３２と第２接続部３３の対向する面がなす角度α1は９０°であるか、それに近似した角度（９０°±５°以下）であることが好ましい。
【００２０】
枠体連結部３１と第１接続部３２がなす角度α2と、枠体接続部３１と第２接続部３３がなす角度α3は、同じでもよいし、異なっていてもよいが、いずれも鈍角で、好ましくは１３５°±５°以下の範囲であることが好ましい。α2とα3が前記範囲（好ましくはα2＝α3＝１３５°、即ちα1＝９０°）であると、図２（ａ）、（ｂ）のいずれの取付状態であっても、枠体２０の高さ位置をほぼ同程度にすることができる。
【００２１】
第１接続部３２の一面側には、長さ方向に２本のリブ３５ａが形成され、他面側には長さ方向に２本のリブ３５ｂが形成されている。リブ３５ａ、３５ｂは、軽量化と強度付与のために形成されるほか、取付本体部１０に対する挿し間違いを防止する効果も得られる。さらにリブ３５ａは、取付本体部１０に対する接続強度を高める作用もする。
【００２２】
第２接続部３３の一面側には、長さ方向に２本のリブ３６が形成されており、２本のリブ３６は、枠体接続部３１の一面側に形成された２本のリブ３１ａと連続して形成されている。リブ３６、３１ａは、軽量化と強度付与のために形成されたものであり、リブ３６は、取付本体部１０に対する接続強度を高める作用もする。
【００２３】
＜図４＞
図４（ａ）は、取付本体部１０を吸盤１１により、鉛直面（図６のシンク壁面109）に取り付けて使用する状態を示している。孔部１６の孔本体１４とリブ孔１５は、使用時において上を向いている。
【００２４】
図４（ｂ）は、取付本体部１０を吸盤１１により、水平面（図６の調理台106）に取り付けて使用する状態を示している。孔部１６の孔本体１４とリブ孔１５は、使用時において横を向いている。
【００２５】
図４に示す取付本体部１０は、外観形状は略直方体状のものであるが、軽量化のため、内部は空洞になっており、吸盤１１がある側の面はなく、吸盤１１は、面１３の裏面に対して、軸１１ａと適当な固定手段（例えば、裏面から突き出された、軸１１ａの端部を嵌め込んで固定できる枠状の取付具、必要に応じてネジ等の組み合わせ）により固定されている。
【００２６】
孔部１６のリブ孔１５は、第１接続部３２の２本のリブ３５ａの断面形状及び長さと一致しており、第２接続部３３の２本のリブ３６の断面形状及び長さとも一致している。なお、孔部１６のリブ孔１５に正対する面側にも、第１接続部３２の２本のリブ３５ｂに対応するリブ孔を形成することができるし、前記リブ孔を形成したときは、第２接続部３３のリブ３６が形成された反対面側にも同じリブを形成することができる。
【００２７】
＜図５＞
図５（ａ）は、取付本体部１０を吸盤１１により、鉛直面（シンク壁面109）に取り付けた状態を示している。図５（ａ）では、図２（ａ）に示すとおり、α2＝α3＝１３５°となっている。
【００２８】
取付本体部１０の孔部１６には、第２接続部３３が嵌め込まれており、２本のリブ３６は２本のリブ孔１５（図４（ａ）参照）にぴったりと嵌め込まれているため、第２接続部３３がずれたり、がたついたりすることはない。さらに第１接続部３２と第２接続部３３の対向する面同士がなす角度α1（図２参照）と、孔部１６と端面１２がなす角度が一致しているため（図面では９０°）、第１接続部３２の面が端面１２に当接されており、上記のずれやがたつき防止作用がより高められている。
【００２９】
図５（ｂ）は、取付本体部１０を吸盤１１により、水平面（調理台106）に取り付けた状態を示している。図５（ｂ）では、図２（ｂ）に示すとおり、α2＝α3＝１３５°となっている。
【００３０】
取付本体部１０の孔部１６には、第１接続部３２が嵌め込まれており、２本のリブ３５ａは２本のリブ孔１５（図４（ｂ）参照）にぴったりと嵌め込まれているため、第１接続部３２がずれたり、がたついたりすることはない。さらに第１接続部３２と第２接続部３３の対向する面同士がなす角度α1（図２参照）と、孔部１６と端面１２がなす角度が一致しているため（図面では９０°）、第２接続部３３の面が端面１２に当接されており、上記のずれやがたつき防止作用がより高められている。
【００３１】
＜図６＞
図６（ａ）は、図５（ａ）の取付状態にて、ゴミ袋の保持具１をシンク105の壁面109に取り付けた状態を示している。シンク105に接した部分の調理台106には凹凸模様があり、吸盤１１を吸着できない。
【００３２】
図６（ｂ）は、図５（ｂ）の取付状態にて、ゴミ袋の保持具１をシンク105の調理台106に取り付けた状態を示している。
【００３３】
図６（ａ）、（ｂ）を対比すれば明らかなとおり、調理台106面を基準とすると、枠体２０の高さ位置には差が無く、枠体２０にゴミ袋を取り付けたときには、図７（ａ）、（ｂ）と同じように、ゴミ袋とシンク底面107の間に隙間が形成された状態になる。図２、図５にて説明したとおり、α1＝９０°、α2＝α3＝１３５°となっている。
【００３４】
そして、図５の説明において記載しているとおり、第１接続部３２、第２接続部３３、取付本体部１０の孔部１６による作用により、連結部３０と枠体２０がずれたり、がたついたりすることがない。
【００３５】
さらに図６（ａ）の場合において、枠体２０にゴミ袋を取り付け、中に生ゴミを入れたとき、生ゴミの重さにより、枠体２０に対して鉛直方向への力が加えられることになる。この鉛直方向の力を受け、第２接続部３３は孔部１６をシンク壁面109側に押すため、吸盤１１もシンク壁面109側に押されることになり、保持具１全体がより強くシンク壁面109に固定されることになる。
【００３６】
本発明のゴミ袋の保持具１は、キッチンシンク及びその周辺の状態に応じて、図６（ａ）及び図６（ｂ）に示す使用形態を選択することができ、どちらの使用形態であっても、枠体２０の高さ位置を同じ位置に維持することができる。このため、図７（ａ）〜（ｃ）のいずれの使用形態であっても、ゴミ袋がシンク底面に接触することがなく、図７（ｃ）のような状態になるという問題に対する消費者の改善要望を満足することができる。
【符号の説明】
【００３７】
１  ゴミ袋の保持具
１０  取付本体部
１１  吸盤
１４  孔本体
１５  リブ孔
１６  孔部
２０  枠体
３０  連結部
３２  第１接続部
３３  第２接続部
１０５  キッチンシンク
１０６  調理台
１０７  シンク底面
１０９  シンク壁面
【図１】
2011001164.tif 000003
【図２】
2011001164.tif 000004
【図３】
2011001164.tif 000005
【図４】
2011001164.tif 000006
【図５】
2011001164.tif 000007
【図６】
2011001164.tif 000008
【図７】
2011001164.tif 000009